(57)【要約】【課題】光ディスク装置内の塵埃を軽減し、更に、光ピックアップ光学部品上に塵埃が堆積することを抑制し、光ディスク装置を長寿命化する。【解決手段】光ディスク装置１０内に備えられたアウターシャシ３０は、光ディスクの回転に伴って発生する空気流の排気口３８を備える。更に、光ディスク装置１０のインナーシャシ２０の開口２６の下方にある光ピックアップ装置６０は、光ディスクの回転に伴い光ディスク挿入部３２０から排気口３８へ向かって流れる空気流の経路を避けた位置に設けられる。【選択図】図１
2009301673.tif 000002
【特許請求の範囲】
【請求項１】
前面に光ディスク挿入部が設けられた筐体と、
前記筐体内に設けられ、前記光ディスク挿入部から供給された光ディスクを装着して回転駆動する回転駆動部と、
前記光ディスクにレーザを照射する光ピックアップ装置とを備えた光ディスク装置において、
前記筐体は、前記光ディスクの回転に伴って発生する空気流の排気口を備え、
前記光ピックアップ装置は、前記光ディスクの回転に伴い前記光ディスク挿入部から前記排気口へ向かって流れる前記空気流の経路を避けた位置に設けられていることを特徴とする光ディスク装置。
【請求項２】
前記排気口は、前記筐体の後面における前記光ディスク挿入部から見て左方の位置に配設され、
前記光ピックアップ装置は、前記光ディスク挿入部から見て右後方に配設されていることを特徴とする請求項１に記載の光ディスク装置。
【請求項３】
前記光ディスク挿入部は、前記筐体の前面に設けられたスロットイン用の挿入口であることを特徴とする請求項１又は２に記載の光ディスク装置。
【発明の詳細な説明】
【技術分野】
【０００１】
本発明は、ＣＤ又はＤＶＤなどの光ディスク媒体にレーザを照射する光ピックアップ装置を備えた光ディスク装置に関する。
【背景技術】
【０００２】
近年、ＣＤ（Ｃｏｍｐａｃｔ  Ｄｉｓｃ）及びＤＶＤ（Ｄｉｇｉｔａｌ  Ｖｅｒｓａｔｉｌｅ  ＤｉｓｃまたはＤｉｇｉｔａｌ  Ｖｉｄｅｏ  Ｄｉｓｃ）等の光ディスクの記録と再生を行う光ディスク装置が広く普及している。更には、記録容量を更に増加させたブルーレイディスク（Ｂｌｕ−ｒａｙ  Ｄｉｓｃ）等の次世代光ディスクが開発され、普及しつつある。
【０００３】
光ディスク装置は、光ディスク装置内に光ピックアップ装置が備えられている。この光ピックアップ装置は、レーザの出射・入射を行うことでデータの記憶／再生を行う。
【０００４】
図４は従来の車載用のスロットインタイプの光ディスク装置１４を示す模式的な斜視図である。図４に示すように、光ディスク装置１４は、主にインナーシャシ２０、アウターシャシ３０、ディスク回転駆動部４０、クランプアーム５０、光ピックアップ装置６０から構成される。
【０００５】
従来からの問題として、光ディスクの記録／再生のための動作によって、光ディスク装置１４内の光ピックアップ装置６０、光ディスク回転駆動部４０及び配線基板（図示せず）が発熱し、そのために装置内の温度が想定以上になる可能性があった。
【０００６】
また、外部から導入される塵埃が光ピックアップ装置６０に付着することで、レーザの出射・入射レベルの低下が引き起こされる。更に、この塵埃の付着量が多くなると、光ディスクの記録／再生が不可能となり、光ピックアップ装置６０の使用寿命を縮めてしまうという問題があった。
【０００７】
これらの問題に対して冷却ファンを用いずに、光ディスク装置背面の開口から外部空気を導入して装置内部、特に光ピックアップを冷却する構造を備え、尚且つ、光ディスク装置背面の開口にフィルタを備え、そのフィルタから塵埃の侵入を防止する光ディスク装置の例が、特許文献１に記載されている。
【０００８】
【特許文献１】特開２００６−３２３９５５号公報
【発明の開示】
【発明が解決しようとする課題】
【０００９】
しかしながら、特許文献１に開示されている光ディスク装置は、装置背面からの塵埃の侵入を効果的に防ぐことができるが、光ディスク挿入部からの塵埃、及び光ディスクに付着した塵埃に対しては効果はない。更には、光ピックアップ装置上に堆積する塵埃を抑制することについては考慮されていない。
【００１０】
本発明はかかる問題点を鑑みてなされたものであって、光ディスク装置内の塵埃を軽減し、更に、光ピックアップ光学部品上の塵埃の堆積を抑制し、光ディスク装置の長寿命化を実現することを目的とする。
【課題を解決するための手段】
【００１１】
本発明に係る光ディスク装置は、前面に光ディスク挿入部が設けられた筐体と、前記筐体内に設けられ、前記光ディスク挿入部から供給された光ディスクを装着して回転駆動する回転駆動部と、前記光ディスクにレーザを照射する光ピックアップ装置とを備えた光ディスク装置において、前記筐体は、前記光ディスクの回転に伴って発生する空気流の排気口を備え、前記光ピックアップ装置は、前記光ディスクの回転に伴い前記光ディスク挿入部から前記排気口へ向かって流れる前記空気流の経路を避けた位置に設けられていることを特徴とする。
【００１２】
例えば、前記光ディスク装置において、前記排気口は、前記筐体の後面における前記光ディスク挿入部から見て左方の位置に配設され、前記光ピックアップ装置は、前記光ディスク挿入部から見て右後方に配設されている。
【００１３】
例えば、前記光ディスク装置の前記光ディスク挿入部は、前記筐体の前面に設けられたスロットイン用の挿入口である。
【発明の効果】
【００１４】
本発明によれば、光ディスク装置内の塵埃を軽減し、更に、光ピックアップ光学部品上に塵埃が堆積することを抑制し、光ディスク装置を長寿命化することができる。
【発明を実施するための最良の形態】
【００１５】
以下、本発明の実施の形態について添付の図面を参照して詳細に説明する。図１は本発明の実施形態に係る車載用のスロットインタイプの光ディスク装置１０を示す模式的な斜視図である。図１に示すように、光ディスク装置１０は、光ディスクが配設されるインナーシャシ２０、インナーシャシ２０の外部に設けられたアウターシャシ（筐体）３０、インナーシャシ２０の中央に設けられ、光ディスクを回転するディスク回転駆動部４０、光ディスクをインナーシャシ２０に固定するクランプアーム５０、光ディスクにレーザを照射する光ピックアップ装置６０から構成される。以下に光ディスク装置１０の基本的な構成について説明する。
【００１６】
まず、アウターシャシ３０は、側板３００、下板３０２、前面板３２及び上板（図示せず）から構成され、インナーシャシ２０の筐体として箱状をなす。前面板３２には、光ディスクのスロットイン用の開口（光ディスク挿入部）３２０が設けられている。アウターシャシ３０は、車両等に備えられたセット内に固定されて、装備される。
【００１７】
次に、インナーシャシ２０は、アウターシャシ３０内に設けられ、下部インナーシャシ２２及び上部インナーシャシ２３から構成される。下部インナーシャシ２２は、アウターシャシ３０の下板３０２よりも一回り小さいサイズで、板状に形成され、アウターシャシ３０の内部に設けられる。次に、上部インナーシャシ２３は、下部インナーシャシ２２の上部に設けられ、アウターシャシ３０の前面板３２から離れて、この前面板３２との間に空間をおいて配設される。この上部インナーシャシ２３は、側板２３０、底板２３２及び前板２３４から構成される。詳細に構成を説明すると、アウターシャシ３０の３枚の側板３００の内面に沿うように側板２３０が設けられており、この３枚の側板２３０の内面において、側板２３０の高さの例えば半分程の高さ位置に底板２３２が設けられている。側板２３０及び底板２３２の前方（＋Ｘ方向）端面と下部インナーシャシ２２を接続するように前板２３４が設けられている。
【００１８】
また、上部インナーシャシ２３の後方両端（−Ｘ、±Ｙ）の側板２３０とアウターシャシ３０の側板３００との間に、合成ゴム等の弾性材から形成された２つのダンパ２４が設けられている。下部インナーシャシ２２の前面板３２側中央部には、ダンパ２４と同様、合成ゴム等の弾性材から形成されたダンパ２５が備えられている。インナーシャシ２０は、アウターシャシ３０の側板３００の内面、アウターシャシ下板３０２の上面の夫々にダンパ２４を介して接続され、また、下部インナーシャシ２２の前面板３２側中央部に設けれたダンパ２５を介して、アウターシャシ下板３０２の上面に接続される。これらのダンパ２４及び２５は、アウターシャシ３０からインナーシャシ２０に伝わる外部振動を緩和する。つまり、インナーシャシ２０は、アウターシャシ３０にダンパ２４及びダンパ２５を介して接続されているため、アウターシャシ３０に対し、フローティング構造を有することとなる。
【００１９】
また、下部インナーシャシ２２の上面両端には、図面上、Ｘ軸方向の中心線に対称に、判別アーム３６が２本設けられている。光ディスク装置１０は、判別アーム３６を介してＯＮ／ＯＦＦされるスイッチ（図示せず）によって８ｃｍディスクと１２ｃｍディスクとを判別する。これらを判別することで、光ディスク装置１０は、光ディスク排出時の光ディスクの突き出し量を取り出しに好適な位置に制御する。
【００２０】
次に、ディスク回転駆動部４０は、上部インナーシャシ２３の中央部に設けられ、光ディスクを回転駆動する。光ディスク挿入時に、光ディスクは、ローラ（図示せず）によってこのディスク回転駆動部４０上に搬送され、ディスク回転駆動部４０とクランプアーム５０に支持される。
【００２１】
クランプアーム５０は、インナーシャシ２３の側板２３０に一部を支持され、光ディスクを光ディスク装置１０内に収納した後、光ディスクの上部中央を支持する。また、インナーシャシ２０の後方（−Ｘ方向）には、アーム７０が設けられている。アーム７０先端には下方に向けられた突起７２が形成されている。
【００２２】
ここで、クランプアーム５０及びアーム７０の動作を簡単に説明する。光ディスクが光ディスク挿入部３２０に挿入されると、インナーシャシ２０内に備えられたローラ（図示せず）が光ディスクを搬送する。インナーシャシ２０の後方（−Ｘ方向）に搬送された光ディスクは、アーム７０の突起７２に当接し、アーム７０を回転させる。このアーム７０の回転により、スライダ（図示せず）及びクランプアーム５０が従動し、駆動機構上で光ディスクの搬送動作とクランプ動作の切り替えが行われる。
【００２３】
次に、光ピックアップ装置６０は、インナーシャシ２０の底板２３２に設けられた開口２６の下方に設けられる。開口２６は、光ディスク挿入方向の右後方に設けられ、長手方向が中心から右奥コーナー部に向かうように矩形状に形成されている。光ピックアップ装置６０は、内部に発光ダイオード（図示せず）及びフォトディテクタ（図示せず）等、表面に対物レンズ６２等が備えられている。また、この光ピックアップ装置６０は、駆動装置（図示せず）を備え、光ディスクの径方向６０１に移動可能に設けられている。
【００２４】
ここで、光ピックアップ装置６０の動作について簡単に説明する。光ピックアップ装置６０は、装置内部の発光ダイオード（図示せず）から対物レンズ６２を介してレーザー光を送出することで情報の書き込みを行い、また更にその反射光を対物レンズ６２を介して光ピックアップ装置６０内部のフォトディテクタ（図示せず）に導くことで情報の読み出しを行う。
【００２５】
本発明の実施形態に係る光ディスク装置１０は、光ディスク挿入部３２０と対向する位置であって、光ディスク挿入部３２０から見て左の位置（−Ｘ，−Ｙ）に、インナーシャシ２０からアウターシャシ３０にかけて、−Ｘ方向に拡開した筒状の排気ダクト（排気口）３８が設けられている。
【００２６】
次に、本実施形態の動作について説明する。図２は本発明の実施形態に係る光ディスク装置１０の光ディスク回転時における塵埃を含んだ空気の流路を示す模式的な平面図である。光ディスクをスロットイン用の開口（水平の細い孔）に挿入すると、ローラが光ディスクを搬送し、インナーシャシ２０（筐体）内に引き込む。インナーシャシ２０内に引き込まれた光ディスクは、アーム７０先端下方に設けられた突起７２に当接し、アーム７０を回転させる。このアーム７０の回転に従動するスライダ（図示せず）及びクランプアーム５０が、光ディスクの搬送動作とクランプ動作の切り替えを行ない、ディスク回転駆動部４０に装着する。次に、回転駆動部４０は光ディスクを時計方向に回転駆動し、光ディスクの上面及び下面に接している塵埃を含んだ空気は、その粘性によって、光ディスクの回転方向と同一方向にディスク回転駆動部４０を中心として回転する気流を形成する。この状態において、スロットイン用の開口から流入する空気は、光ディスクの回転に伴う時計方向に流れる気流にのって、図中矢印にて示すように前方から見て左奥に位置する排気ダクト３８まで流れる。一方、光ピックアップ装置６０は、排気ダクト３８の右方（＋Ｙ方向）に配設されている。このため、前述の気流の流路に光ピックアップ装置６０が存在しないので、塵埃の密度の希薄な空気環境におくこととなり、検出部への塵埃の堆積を抑制することができる。この空気流に含まれる塵埃は、排気ダクト３８から光ディスク装置１０の外に排出される。そして、排気ダクト３８の開口は、気流の回転方向の接線の向きと略同一方向に向けられている。このため、光ディスク回転時に光ディスク装置１０内部に排気ダクト３８を介して空気が流入することはない。
【００２７】
以上、説明したように、本発明の実施形態に係る光ディスク装置１０の光ピックアップ装置６０は、排気ダクト３８によって塵埃が排出された直後の光ディスクの回転角度位置に配設されている。つまり、ディスク回転駆動部４０に対し、排気ダクト３８が−Ｘ、−Ｙ領域に設けられたとき、光ピックアップ装置６０の動作域が−Ｘ、＋Ｙ領域になるように配設されている。
【００２８】
このように排気ダクト３８を配設することで、光ディスク装置１０内の塵埃を軽減することができ、更に、光ピックアップ装置６０をこのように配設することで、光ピックアップ装置６０上に塵埃が堆積することを抑制し、光ディスク装置を長寿命化することができる。
【００２９】
図３は本発明の他の実施形態に係る排気孔（排気口）３８０を備えた光ディスク装置を示す模式的な斜視図である。排気ダクト３８が設けられた形態の光ディスク装置１０について説明したが、他の形態としては、図３に示す光ディスク装置１２のように、単にインナーシャシ２０及びアウターシャシ３０の一部を気流方向に切り欠いた排気孔３８０を、排気ダクト３８の代わりに設けるようにしても良い。
【００３０】
また、本発明の実施形態に係る光ピックアップ装置６０の配設位置は、光ディスクが回転し、それに伴って発生する空気流が、排気口へ向かって流れる経路を避けた位置であればよく、例えば、図２上、光ディスク挿入部３２０と対向する位置で、光ディスク挿入部３２０から見て右の位置（−Ｘ，＋Ｙ）に＋Ｘ方向に排気方向を向けて排気ダクト３８又は排気孔３８０を設けたときに、＋Ｘ、＋Ｙの位置に光ピックアップ装置６０を配設するようにしてもよい。
【００３１】
また、本発明の実施形態に係る光ディスク装置１０を車載用の部品構成で説明したが、本発明はこれに限らず、ホーム機器用（据え置き型）に適用することもできる。この場合は、ダンパ２４及びダンパ２５は不要である。
【図面の簡単な説明】
【００３２】
【図１】本発明の実施形態に係る排気ダクトを備えた光ディスク装置を示す模式的な斜視図である。
【図２】本発明の実施形態に係る光ディスク装置の光ディスク回転時の気流を示す模式的な平面図である。
【図３】本発明の実施形態に係る排気孔を備えた光ディスク装置を示す模式的な斜視図である。
【図４】従来の光ディスク装置を示す模式的な斜視図である。
【符号の説明】
【００３３】
１０，１２，１４    光ディスク装置
２０    インナーシャシ
２２    下部インナーシャシ
２３    上部インナーシャシ
２６    開口
３０    アウターシャシ（筐体）
３２０  開口（光ディスク挿入部）
３８    排気ダクト（排気口）
３８０  排気孔（排気口）
４０    ディスク回転駆動部
５０    クランプアーム
６０    光ピックアップ装置
【図１】
2009301673.tif 000003
【図２】
2009301673.tif 000004
【図３】
2009301673.tif 000005
【図４】
2009301673.tif 000006